(57)【要約】【課題】発生した土埃が舞上るのを防止して、安全に茎葉処理できる農作業機を提供する。【解決手段】農作業機１に供給部４と搬送部８を設け、供給部４から搬送部８へ玉葱が供給されたときに発生する土埃が舞上るのを防止する埃舞上り防止手段６を設けた。【選択図】図１
2008104396.tif 000002
【特許請求の範囲】
【請求項１】
農作物を供給する供給部と、この供給部から供給された農作物を搬送する搬送部を備えた農作業機において、供給部から搬送部に農作物を供給するときに発生する埃が舞上るのを防止する埃舞上り防止手段を設けたことを特徴とする農作業機。
【請求項２】
埃舞上り防止手段は、搬送部に農作物を供給した後の供給部を供給始端側に移動させる移動装置を有していることを特徴とする請求項１記載の農作業機。
【発明の詳細な説明】
【技術分野】
【０００１】
本発明は、収穫された農作物を搬送しながら茎葉等を処理する農作業機に関する。
【背景技術】
【０００２】
従来、この種の農作業機は、例えば、玉葱等の農作物を供給する供給部と、供給された農作物を搬送部で搬送しながら茎葉等を処理し収容する農作業機が知られている。
【特許文献１】特開平１１−８９３７２号公報
【発明の開示】
【発明が解決しようとする課題】
【０００３】
しかしながら、上記従来の農作業機では、供給部から搬送部に農作物を供給するときに、大量の農作物を供給するために土埃が発生し舞上り、人体および農作業機本体に悪影響を及ぼすおそれがある。
【０００４】
本発明は、このような点に鑑みなされたもので、土埃の舞上りを防止し、人体および農作業機本体に悪影響が及ばない農作業機を提供することを目的とする。
【課題を解決するための手段】
【０００５】
本発明の農作業機は、農作物を供給する供給部と、この供給部から供給された農作物を搬送する搬送部を備えた農作業機において、供給部から搬送部に農作物を供給するときに発生する埃が舞上るのを防止する埃舞上り防止手段を設けたものであり、さらに、埃舞上り防止手段は、搬送部に農作物を供給した後の供給部を供給始端側に移動させる移動装置を有しているものである。
【発明の効果】
【０００６】
本発明の農作業機は、供給部から搬送部に農作物を供給するときに発生する埃が舞上るのを防止する埃舞上り防止手段を設けたもので、土埃が舞上ることが無くなり、人体および農作業機本体に悪影響が及ばなくなり、農作物に適切な処理ができる。さらに、埃舞上り防止手段は、搬送部に農作物を供給した後の供給部を供給始端側に移動させる移動装置を有しているので、支点越えした供給部の空コンテナを供給始端側に移動させることができるので、次の農産物が入ったコンテナと入れ替えることがスムーズにできる。
【発明を実施するための最良の形態】
【０００７】
本発明の農作業機の一実施の形態を図１ないし図３を参照して説明する。
【実施例１】
【０００８】
図１ないし図３において、１は農作業機で、この農作業機１は、茎葉を有する農作物、すなわち例えば玉葱を処理する玉葱処理機等である。
【０００９】
この農作業機１は、機枠２を備え、機枠２の前側には図示しないトラクタとの連結部が設けられ、機枠２の後側には左右一対の車輪３が設けれ、トラクタの牽引により走行可能となっている。
【００１０】
そして、機枠２の前端部には、供給部４が設けられ、地干し後の玉葱を収容したコンテナ５から玉葱を搬送部８に供給される。
【００１１】
供給部４は、コンテナ５を保持するリフト装置４１を備え、このリフト装置４１は、機枠２に昇降可能かつ回動可能に取り付けられている。また、リフト装置４１にはシリンダ２０のロッド２１が取り付けられている。
【００１２】
そして、ロッド２１が進出すると、リフト装置４１は、玉葱を収容したコンテナ５を保持したまま上昇するとともに左右方向の軸２４を中心に回動させると玉葱がコンテナ５から落下し、ガイド板２５に案内されて搬送部８に供給される。
【００１３】
さらに、供給部４には、玉葱がコンテナ５から落下するときに発生する土埃が舞上るのを防止する埃舞上り防止手段６が設けられている。この埃舞上り防止手段６は、フレーム６１にシート６２が着脱自在に取り付けられ、このシート６２は土埃が舞上らないようにガイド板２５の内側を上方から覆っている。さらに、埃舞上り防止手段６は、左右方向の軸６３を中止に回動可能となっている。
【００１４】
また、埃舞上り防止手段６は、コンテナ５から玉葱が落下することにより空になったコンテナ５とリフト装置４１を供給始端側すなわちリフト装置４１の回動始端側に移動させる移動装置７を有している。この移動装置７は、ガイド板２５の左右にある組付部７１にロッド棒７２が組み付けられ、さらに、ロッド棒７２に圧縮バネ７３を組み付け、フレーム６１にある取付部６４にロッド棒７２を組み付けたものである。そして、このロッド棒７２には、ピン７４の位置変更による圧縮バネ７３の強弱調整用の穴が複数開いている。
【００１５】
次に、搬送部８は、機枠２の前側から後側に向かって、波形コンベア９、振動コンベア１０、カッティングコンベア３０、および持上コンベア７０の順に配置され構成している。
【００１６】
波形コンベア９は、波形状の無端ベルトで前方が傾斜した状態で配置されており、コンテナ５から供給された玉葱を順々に後方へ搬送している。
【００１７】
そして、波形コンベア９から搬送された玉葱は、振動発生装置１１を備えた振動コンベア１０により、茎葉が絡み合った玉葱をほぐしながら後方に搬送される。この振動コンベア１０は、振動発生装置１１により上下左右に振動しながら玉葱を搬送させている。
【００１８】
さらに、振動コンベア１０でほぐされた玉葱はカッティングコンベア３０に搬送される。このカッティングコンベア３０は、玉葱の茎葉を切断しながら後方に搬送させる。また、ここで切断された茎葉は落下し、搬出コンベア３１により機枠２の後端部から搬出される。
【００１９】
そして、茎葉が切断処理された玉葱は、持上コンベア７０により上方に持ち上げられ、選別部５０に搬送される。
【００２０】
選別部５０では、搬送ローラ５１が機枠２の前方に向かって回動しており、搬送部８から搬送されてくる玉葱を作業者によって、搬送ローラ５１上の玉葱を良品と不良品とに選別している。ここで、良品の玉葱は、搬送ローラ５１から左右方向にスライド可能なスライドコンベア５２に搬送され、機枠２の左右に一対設けられた良品用コンテナ５３に収容される。
【００２１】
また、不良品の玉葱は、シュート５４に投入することにより、搬出コンベア５５上に落下する。そして、搬出コンベア５５から機枠２の左側に設けられている不良品コンテナ５６に収容される。
【００２２】
次に、上記一実施の形態の動作等を説明する。
【００２３】
供給部４のリフト装置４１の作動によりコンテナ５から搬送部８の波形コンベア９に茎葉付きの玉葱が供給される。このときに発生する土埃を埃舞上り防止手段６のシート６２により、土埃が舞上るのを防止でき、選別部５０にいる作業者や他の作業者が土埃を吸い込むことが無く、安全に作業することができ、さらに、埃が舞上ることが無いので、機械本体にも悪影響を及ぼすことが無い。
【００２４】
また、従来、供給部４の軸２４を中心にしてリフト装置４１を回動させて、コンテナ5内の玉葱が落下してコンテナ５が空になる位置は、軸２４の上方で支点越えをした位置である。これは、コンテナ5自体の重量がかなり重いためにリフト装置４１を回動させていくと玉葱の落下とともにコンテナ5もガイド板２５側に移動してしまう。そして、コンテナ５を供給始端側に戻そうとしたときに、空のコンテナ５はガイド板２５上に置かれた状態で元の回動始端側に戻すことができない。
【００２５】
しかしながら、本実施の形態によれば、コンテナ５から玉葱を落下させるときに、埃舞上り防止手段６のフレーム６１でコンテナ５を支えながら落下させる。すると、コンテナ5内の玉葱の減少とともに、埃舞上り防止手段６に設けられた移動装置７の圧縮バネ７３の反発力によって、埃舞上り防止手段６が軸６３を中心にして少しずつ回動し、コンテナ5及びリフト装置４１を供給始端側に押し戻すように移動させている。したがって、支点越えしてしまったコンテナ５は、コンテナ５内が空になったときには、移動装置７によって支点越えの位置よりも下方位置にリフト装置４１とともに移動しているので、リフト装置４１の回動によって供給始端側に戻すことが簡単にできるので、次に供給するコンテナ５との入れ替えがスムーズにできる。
【００２６】
次に、搬送部８に供給された玉葱は、まず、波形コンベア９によって振動コンベア１０に搬送される。この振動コンベア１０の上下左右の振動が与えられながら搬送されるので、茎葉が絡み合った玉葱がほぐされ、玉葱どうしが離れた状態でカッティングコンベア３０に搬送される。
【００２７】
そして、カッティングコンベア３０では、玉葱の茎葉を切断しながら玉葱を持上コンベア７０に搬送する。このときに、切断された茎葉は、搬送コンベア３１によって、機枠２の後端部から搬出される。
【００２８】
さらに、持上コンベア７０によって、上方に搬送された玉葱は、選別部５０に搬送される。選別部５０では、作業者によって、良品と不良品に選別される。
そして、良品の玉葱は、搬送ローラ５１から左右方向にスライド可能なスライドコンベア５２に搬送され、機枠２の左右に一対設けられた良品用コンテナ５３に収容される。
【００２９】
また、不良品の玉葱は、シュート５４に投入することにより、搬出コンベア５５上に落下し、搬出コンベア５５から機枠２の左側に設けられている不良品コンテナ５６に収容される。
【００３０】
本実施における埃舞上り防止手段６のシート６２の材質は、透明な塩化ビニールであるが、これに限らず、ポリエチレンや布でも良く、特に限定する必要も無い。また、本実施ではシート６２を着脱自在にしたが、フレーム６１に巻き取り式にして、必要に応じて引き出すようにしても良い。
【００３１】
また、埃舞上り防止手段６の移動装置７は、圧縮バネ７３の反発力でコンテナ５を移動できるようにしたが、モーターやシリンダを使用して、強制的に移動させるようにしても良い。
【図面の簡単な説明】
【００３２】
【図１】本発明による農作業機の正面図である。
【図２】同農作業機の平面図である。
【図３】同農作業機の正面図の一部拡大図である。
【符号の説明】
【００３３】
１    農作業機
２    機枠
４    供給部
５    コンテナ
６    埃舞上り防止手段６
７    移動装置
８    搬送部
２５  ガイド板
４１  リフト装置
５０  選別部
６１  フレーム
６２  シート
６３  軸
７２  ロッド棒
７３  圧縮バネ
【図１】
2008104396.tif 000003
【図２】
2008104396.tif 000004
【図３】
2008104396.tif 000005